(57)【特許請求の範囲】
【請求項１】
回動式扉を、吊元側のヒンジ部により回転可能に扉枠に吊り込んで内外両開き可能に組み付ける一方、パネル状の該扉枠および前記扉を閉時には直列に配設して室外側の板面全体が面一になるように組み付ける扉構造体と、
ロックレバーを、室内側から前記扉の開閉をロックする施錠位置とロックを解除する解錠位置との間を移動させて前記扉を施解錠する一方、該扉の非常解錠用操作部を室外側に備えないロック手段と、
室内外に通ずる隙間と隣接した前記扉の手先側角部に取付部材を固定し、該取付部材にストッパを、前記扉の閉時は前記扉枠に当接して前記扉が室外側へ回転して外開きするのを規制する当接位置と、開時は前記扉枠から離して前記扉の外開き規制を解除する退避位置とに切り換え移動可能に連結してなる戸当りとを備え、
前記扉構造体には、前記扉の下端の手先側角部とそれと対向する扉枠の端部とにわたり、閉時に前記戸当りが前記扉と前記扉枠の室外側板面と面一に納まる戸当り凹部を形成し、
前記ロック手段は、前記ロックレバーを移動可能に連結する取付体を、前記扉の手先側と対向する前記扉枠の端部室内側に固着し、前記扉を施錠するときは、前記ロックレバーを前記取付体に対して前記扉と前記扉枠の間を跨る施錠位置まで移動して前記扉が室内側に内開きするのを規制し、非常解錠時は、前記戸当りのストッパを、室外側から前記隙間を通して前記当接位置から前記退避位置に切り換え移動させて前記扉の外開き規制を解除してなることを特徴とする、回動式扉非常解錠システム。
【請求項２】
前記戸当りは、前記扉の閉時、前記取付部材に前記ストッパを係脱可能に掛け止めると共に該ストッパにトリガを係脱可能に係着して前記ストッパを回転規制状態で当接位置に保持してなることを特徴とする、請求項１に記載の回動式扉非常解錠システム。
【発明の詳細な説明】
【技術分野】
【０００１】
本発明は、トイレブース等において、打掛錠やスライドボルト等のロック手段でロックされた開き扉等の回動式扉の室内側で使用者が倒れるなど、非常時に、室外側からロック手段によるロックを回避して回動式扉を開けるための回動式扉非常解錠システムに関する。
【背景技術】
【０００２】
従来、トイレブース等で回動式扉に付設するロック手段には、ロックレバーを回動して施解錠する打掛錠や直線的に摺動して施解錠するスライドボルト等が使われ、本体を扉の手先側端部の室内側に組み付ける一方、反対の室外側には、扉の施解錠状態を外部に表示する表示器を配設し、それら本体と表示器とを、間に扉を挟んで連結した表示型であるのが一般的である。（特許文献１、２参照）。
【０００３】
この種の表示型ロック手段は、ロック状態の開き扉の室内側で使用者が倒れるなど、非常時に備えて、トイレの室外側からでも非常解錠操作できるように、表示器に、室内側のロックレバーと連動する、例えば表側にすり割付きの解錠操作部を備えた構造になっている。従って、非常解錠時は、室外側から、解錠操作部のすり割等にコインやドライバ等の道具を係止させてロックレバーを解錠位置に回動させたり摺動させたりしてロック手段を簡単に解錠できるようにしている。
【０００４】
ところで、ホテル等のトイレブースでは、美観上の強い要請から、例えば図１７に示すように、それぞれパネル状の開き扉１とその間の扉枠２を直列に配設し、閉時は室外側の全体が面一になるように組み付けた扉構造体３で形成されている。しかし、表示器付きの表示型ロック手段では、扉構造体３の室外側の板面から表示器４…が幾つも突出し、この出っ張りが目だって見栄えが悪く、美的外観の重視されるホテルのトイレブース等では好ましくないという問題があった。
【０００５】
そこで、最近、トイレブース等に設置する回動式扉は、たとえば周知のグレビティヒンジを用いて扉枠に回転可能に吊り込み、開時、ロックレバーを解錠位置に動かしてロック状態を解除すると、自動的に室内側に回転（内開き）し、所定開き角度の半開き状態で止めて保持する一方、閉時は、扉枠の笠木や上枠部等に戸当り部を当てて室外側に回転（外開き）するのを規制した構造とし、これにより、室外側から、一見して扉の施解錠状態が判るようにする一方、美観を損なう原因となる表示器を必要としない非表示型のものが提案されている。
【先行技術文献】
【特許文献】
【０００６】
【特許文献１】特開２００２−２５６７５１号公報
【特許文献２】特開２００３−１０６０１４号公報
【発明の概要】
【発明が解決しようとする課題】
【０００７】
ところが、従来、そのような非表示型のロック手段は、美観に配慮して扉の室外側に表示器を備えない以上、室外側には、構造上、上記した表示型のロック手段のように非常解錠用の操作部を設置する余地がない。そこで、例えばロック状態の開き扉の室内側で使用者が倒れるなどの緊急事態が発生した場合、救出のためには室内が狭いので扉を外側に開けたくても、扉は戸当りで外開きを規制され、内側にのみ開くことが可能であるところ、いまロック手段でロック状態にあるため、内側にも開けることができない。しかも、非表示型ロック手段を付設した回動式扉には、上述のように室外側に非常解錠用の操作部がない以上、結局、面倒でも、身の回りの道具を使ってロック手段や戸当り部を外したり、場合によっては扉自体を外したりしない限り開けることができないと云う課題があった。
【０００８】
そこで、本発明の目的は、扉周りの美観上の要請に応えて室外側に扉の非常解用操作部を備えないロック手段を付設し、室外側へ外開きするのを戸当りで規制する回動式扉を、非常時に室内側からロック状態にあるときでも、室外側から何ら道具を使わずに簡単に開けることを実現することにある。
【０００９】
そのため、請求項１に記載の発明は、たとえば以下に示す図示実施の形態のとおり、回動式扉Ｄを、吊元側のヒンジ部ｈにより回転可能に扉枠Ｆに吊り込んで内外両開き可能に組み付ける一方、パネル状の該扉枠Ｆおよび前記扉Ｄを閉時には直列に配設して室外側の板面全体が面一になるように組み付ける扉構造体Ａと、ロックレバー１５を、室内側から前記扉Ｄの開閉をロックする施錠位置とロックを解除する解錠位置との間を移動させて前記扉Ｄを施解錠する一方、該扉Ｄの非常解錠用操作部を室外側に備えないロック手段Ｂと、室内外に通ずる隙間ｘと隣接した前記扉Ｄの手先側角部３８に取付部材２５を固定し、該取付部材２５にストッパ３０を、前記扉Ｄの閉時は前記扉枠Ｆに当接して前記扉Ｄが室外側へ回転して外開きするのを規制する当接位置と、開時は前記扉枠Ｆから離して前記扉Ｄの外開き規制を解除する退避位置とに切り換え移動可能に連結してなる戸当りＣとを備え、前記扉構造体には、前記扉Ｄの下端の手先側角部３８とそれと対向する扉枠Ｆの端部とにわたり、閉時に前記戸当りＣが前記扉Ｄと前記扉枠Ｆの室外側板面と面一に納まる戸当り凹部４４を形成し、前記ロック手段Ｂは、前記ロックレバー１５を移動可能に連結する取付体２０を、前記扉Ｄの手先側と対向する前記扉枠Ｆの端部室内側に固着し、前記扉Ｄを施錠するときは、前記ロックレバー１５を前記取付体２０に対して前記扉Ｄと前記扉枠Ｆの間を跨る施錠位置まで移動して前記扉Ｄが室内側に内開きするのを規制し、非常解錠時は、前記戸当りＣのストッパ３０を、室外側から前記隙間ｘを通して前記当接位置から前記退避位置に切り換え移動させて前記扉Ｄの外開き規制を解除してなることを特徴とする。
【００１０】
請求項２に記載の発明は、請求項１に記載の回動式扉非常解錠システムにおいて、たとえば以下に示す図示実施の形態のとおり、前記戸当りＣは、前記扉Ｄの閉時、前記取付部材２５に前記ストッパ３０を係脱可能に掛け止めると共に該ストッパ３０にトリガ３５を係脱可能に係着して前記ストッパ３０を回転規制状態で当接位置に保持してなることを特徴とする。
【発明の効果】
【００１１】
請求項１に記載の発明によれば、非表示型ロック手段を付設しているために、室外側に非常解錠用の操作部のない回動式扉を、そのロック手段でロックしたままトイレ室内に使用者が倒れるなど非常時に、室内側へ回転して開けたくても、前記扉は、いまロック手段でロックされて内開き規制状態にあるため、室外側に開けたくても、戸当りで外開き規制状態にあるが、そのような場合でも、ロック手段は、ロックレバーを移動可能に連結する取付体を扉の手先側と対向する扉枠の端部室内側に取り付けるから、ロックレバーが扉と扉枠間を跨いだ施錠位置に突出していても、開き扉の外開きの妨げにはならず、一方、いま扉の外開きを規制した戸当りは、ストッパを、室内外と通ずる隙間と隣接する扉の手先側角部に取付部材を固定し、その取付部材にストッパを扉枠に当接して扉が外開きするのを規制する当接位置から、扉枠から室外側に離して扉の外開き規制が解除される退避位置とに切り換え移動可能に連結しているため、何ら身の回りの道具を使わずとも、室外側から、隙間を通して戸当りのストッパを扉枠から室外側に離れた退避位置に切り換え移動する簡単な外部操作で非常解錠して扉を外開きすることができる。
【００１２】
請求項２に記載の発明によれば、戸当りは、扉の閉時、取付部材に係脱可能にストッパを掛け止めると共にストッパに係脱可能にトリガを係着してストッパを回転規制状態で当接位置に保持する構成にすることにより、取付部材に対する掛け止めを外してストッパを、扉の外開き規制が解除される退避位置に切り換え移動させるには、その前にストッパに対するトリガの係着状態を解除する操作が必要であり、そのように２段操作が必要な構成にすることにより、例えば掃除中に偶然に掃除具が軽く当ったりする程度でも簡単に戸当りのストッパが動いて切り換わり誤って扉が外開きしてしまうのを防止することができる。
【図面の簡単な説明】
【００１３】
【図１】（ａ）本発明の一例である回動式扉非常解錠システムを適用した扉構造体を閉扉状態において示す斜視図、（ｂ）非常解錠時に戸当りによる開き扉の外開き規制を解除した状態を示す部分拡大斜視図である。
【図２】扉構造体を、開き扉を閉めてロックした状態において室外側から視て示す正面図である。
【図３】ロック手段を示す分解斜視図である。
【図４】ロック手段を示す組立斜視図である。
【図５】戸当りを示す分解斜視図である。
【図６】（ａ１）戸当りを組み立てて戸当り状態で示す斜視図、（ａ２）ａ１の戸当りを向きを変えて示す斜視図、（ｂ１）戸当りを戸当り解除状態で示す斜視図、（ｂ２）ｂ１の戸当りを向きを変えて示す斜視図である。
【図７】戸当りを（ａ）通常の戸当り状態で示す斜視図、（ｂ）トリガを外した状態で示す斜視図、（ｃ）非常解錠時の戸当り解除状態で示す斜視図である。
【図８】扉構造体を（ａ）開き扉を閉めてロックした状態において室内側から視て示す背面図、（ｂ）平面図、（ｃ）側面図である。
【図９】扉構造体を（ａ）開き扉をロック解除した半開き状態において室内側から示す背面図、（ｂ）平面図、（ｃ）側面図である。
【図１０】扉構造体を開き扉をロック解除した半開き状態において室外側から示す正面図である。
【図１１】扉構造体を、非常解錠時に戸当りの開き扉の外開き規制を解除した開扉状態において室内側から視て示す斜視図である。
【図１２】扉構造体を、非常解錠時に戸当りの開き扉の外開き規制を解除した開扉状態において室内側から視て示す背面図である。
【図１３】扉構造体を、非常解錠時に戸当りの開き扉の外開き規制を解除した開扉状態において室外側から視て示す正面図である。
【図１４】ロック手段が打掛錠の扉構造体を（ａ）開き扉を閉めてロックした状態において室内側から視て示す図８と同様な背面図、（ｂ）平面図、（ｃ）側面図である。
【図１５】ロック手段が打掛錠の扉構造体を（ａ）開き扉をロック解除した半開き状態において室内側から示す図９と同様な背面図、（ｂ）平面図、（ｃ）側面図である。
【図１６】ロック手段が打掛錠の扉構造体を（ａ）非常解錠時に戸当りの開き扉の外開き規制を解除した開扉状態において室内側から視て示す図１２と同様な背面図、（ｂ）平面図、（ｃ）側面図である。
【図１７】従来の表示型ロック手段を付設したトイレブースの扉構造体を示す斜視図である。
【発明を実施するための形態】
【００１４】
以下、図面を参照しつつ、本発明の実施形態について説明する。
【００１５】
図１（ａ）は本発明の回動式扉非常解錠システムを適用した扉構造体を閉扉状態において示す斜視図、（ｂ）は非常解錠時に戸当りによる開き扉の外開き規制を解除した状態を示す部分拡大斜視図、図２は扉構造体を、開き扉を閉めてロックした状態において室外側から視て示す正面図である。図中符号Ａで示す扉構造体は、例えばトイレブース内に設置した扉体で、ロック手段Ｂと、戸当りＣとで本発明の回動式扉非常解錠システムを構成するようになっている。
【００１６】
図示例の扉構造体Ａは、それぞれパネル状をなす回動式扉の開き扉Ｄと開き扉Ｄを支持する扉枠Ｆを複数組備え、それら開き扉Ｄと扉枠Ｆを、互いの縦長な縦框面を突き合わせて直列に配設し、笠木Ｅで扉枠Ｆ間を連結して閉時は室外側の板面が面一になるように組み付け、開き扉Ｄと床面ｆの間と、開き扉Ｄと笠木Ｅの間には、それぞれ横長な隙間ｘ・ｙが形成される構造になっている。開き扉Ｄは、吊元側を周知のグレビティヒンジからなるヒンジ部ｈにより正逆回転可能に扉枠Ｆに軸釣して内外両開き可能に組み付け、開時、ロック手段Ｂによるロックを解除すると、自動的に室内側へ回転（内開き）して後、所定開き角度の半開き状態で止めて保持されるようになっている。
【００１７】
ロック手段Ｂは、金属製のロックレバー１５と、樹脂製の取付体２０のみからなり、開き扉Ｄの施解錠状態を室外側に表示する表示器を備えない非表示型の錠手段である。
【００１８】
ロックレバー１５は、図３および図４に示すように、全体に略みぞ形に成形し、特に、その溝部開口縁に、互いに対向して断面略Ｌ形状に曲げ延びる係合片１５ａを有するが、係合片１５ａの一側に、その一部を切り欠いて突当て段部（図示省略）を設けている。取付体２０は、ベースプレート２１とストッププレート２２の２体に分割し、ベースプレート２１には、片側板面にストッププレート２２を嵌め込む嵌合凹部２１ａを設けると共に両側面に長手方向に沿ってガイド溝２１ｂを凹設し、ストッププレート２２には、長さ方向一端側にＬ状に曲げ延びる一対の弾性片２２ａを突設してなる。
【００１９】
そこで、ロック手段Ｂは、開き扉Ｄの手先側と対向する扉枠Ｆに組み付ける。即ち、開き扉Ｄの手先側と対向する扉枠Ｆの端部室内側にベースプレート２１をねじ止めしてから、嵌合凹部２１ａにストッププレート２２を嵌め合わせて取付体２０を組み立てる。それから、ガイド溝２１ｂにロックレバー１５の係合片１５ａを係合し、ドライバ等を使って弾性片２２ａを押え付けながら、ロックレバー１５をスライドさせ、取付体２０に設ける規制凸部（図示省略）がロックレバー１５側の突当て段部間に位置するスライド規制位置にセットする。すると、弾性片２２ａの弾性復帰力でストッププレート２２が、規制凸部と突当て段部との係合高さ位置まで押し上げられる。しかる後、ロックレバー１５の両端にキャップ２３を被せると、図４に示すようにロック手段Ｂが組み立てられる。そこで、ロック手段Ｂは、ロックレバー１５を、規制凸部が突当て段部に突き当たるスライド規制範囲の間で摺動させると、それに従って開き扉Ｄが施解錠される。即ち、ロックレバー１５を、室内側から、規制凸部が突当て段部に突き当たる一側の開き扉Ｄがロックされる施錠位置と、他側のロックが解除される解錠位置との間を直線的に摺動して開き扉Ｄを施解錠する。
【００２０】
戸当りＣは、図５および図６に示すように、取付部材２５と、ストッパ３０と、トリガ３５とからなる。取付部材２５は、やや縦長な金属板を曲げて成形し、複数のねじ挿通穴を有する固定板部２５ａと、固定板部２５ａの片側側縁の長さ方向両端からそれぞれ直角に曲げて互いに向き合う方向に突設した一対の支持片２５ｂ・２５ｃを有する。固定板部２５ａには、図中上側の支持片２５ｂ側の角縁から図中上向きの長さ方向にフック部２５ｄを突設する一方、下側の支持片２５ｃ側の角縁を支持片２５ｃまで円弧状に切り欠いて逃げ凹部２５ｅを形成している。支持片２５ｂ・２５ｃには、それらの間隔より長い丸軸状の枢軸２６を挿通する軸穴２７・２７が設けられている。
【００２１】
ストッパ３０は、ホルダ３１とパッド３２とからなる。ホルダ３１は、やや縦長な金属板をコ形に曲げてつくり、両端の向い合う方向に突出した図中上下の係止片３１ａ・３１ｂにおいて、それぞれ一端側に枢軸２６が挿通する軸穴３３・３３を設ける一方、他端側を切り欠いて幅狭なパッド取付部３１ｃ・３１ｃを形成する。係止片３１ａ・３１ｂには、パッド取付部３１ｃと軸穴３３の間に連結ピン２８が嵌合するピン穴２９・２９を設け、一方の係止片３１ａには、加えて幅方向に長い矩形の掛け止め穴３４が設ける。パッド取付部３１ｃ・３１ｃには、互いに向き合う方向に押え凸部３１ｄを突設する。パッド３２は、クッション性をもったゴムや軟質プラスチックなどで、やや縦長な略矩形のブロック状に成形し、ホルダ３１のパッド取付部３１ｃ・３１ｃ間に押え凸部３１ｄ・３１ｄの食い込み状態で挟んで接着している。
【００２２】
トリガ３５は、金属製で、枢軸２６と対応する長さの支持シャフト３５ａの両端に、略矩形板片状のアーム片３５ｂ・３５ｃを互いに向い合う方向に突設している。支持シャフト３５ａには、図中下側のアーム片３５ｃ寄りに規制突部３５ｄを突設する一方、規制突部３５ｄとアーム片３５ｃとの間には、ストッパ３０の係止片３１ｂの厚さに対応し、その係止片３１ｂが係合可能な間隙を開けて係合溝３７を凹設する。規制突部３５ｄは、突出方向先端に枢軸２６の周面形状に合わせた曲面からなる嵌合凹面１９を形成してなる。アーム片３５ｂ・３５ｃには、ホルダ３１のピン穴２９と対応する連結ピン２８のピン穴３９・３９が設けられ、下側のアーム片３５ｃの図中下面には、外部操作用の摘み部３５ｅが突設されている。
【００２３】
そこで、戸当りＣは、ストッパ３０の係止片３１ａ・３１ｂとトリガ３５のアーム片３５ｂ・３５ｃを重ねてピン穴２９・３９に連結ピン２８を挿着し、トリガ３５をストッパ３０に連結ピン２８を支点として回動可能に連結する。次いで、取付部材２５のフック部２５ｄを掛け止め穴３４に掛け止めてストッパ３０を回転規制状態とし、取付部材２５の固定板部２５ａに対して直角な向きに配置してから、枢軸２６を取付部材２５の軸穴２７とストッパ３０の軸穴３３に挿通し、ストッパ３０を、取付部材２５にＥリング４１とＯリング４２を用いて枢軸２６を中心に回動可能に連結すると共に、図６（ａ１）・（ａ２）に示すように、枢軸２６の下縁と支持片２５ｃ間の枢軸２６の下端軸部２６ａに沿って図中上下に移動可能に連結する。それから、トリガ３５を連結ピン２８を中心として図中矢示す一方向に回転して係合溝３７にストッパ３０の係止片３１ｂを係合させる一方、規制突部３５ｄの嵌合凹面１９を枢軸２６の下端部２６ａに嵌合させて、ストッパ３０の上下動規制状態でトリガ３５を取付部材２５に連結する。
【００２４】
以って、戸当りＣは、掛け止め穴３４に取付部材２５のフック部２５ｄを掛け止めてストッパ３０を回転規制した状態で、取付部材２５の固定板部２５に対して直角な戸当り位置に保持すると共に、係止片３１ｂをトリガ３５の係合溝３７に係合して上下動も規制した状態にして組み立てる。そこで、戸当りＣは、摘み部３５ｅを持ってトリガ３５を図６（ｂ１）・（ｂ２）中矢示する他方向に回転し、係止片３１ｂを係合溝３７から外してトリガ３５によるストッパ３０の上下動規制状態を解除してから、ストッパ３０を下降し、取付部材２５のフック部２５ｄを掛け止め穴３４から外してストッパ３０の回転規制状態を解除すれば、ストッパ３０を、取付部材２５の固定板部２５ａから鈍角に開いて離れた退避位置に切り換え移動可能に取付部材２５に連結した構造になっている。
【００２５】
そこで、本発明において、扉構造体Ａには、図１に示すように、開き扉Ｄの下端の手先側角部３８と、それと対向する扉枠Ｆの端部とにわたり、図６（ａ１）・（ａ２）に示した前記組立状態の戸当りＣの外形状に合わせて、扉側の取付段部４４ａと扉枠側の受け段部４４ｂからなる戸当り凹部４４を形成する。
【００２６】
一方、戸当りＣは、前記組立状態、即ち、ストッパ３０を、掛け止め穴３４に取付部材２５のフック部２５ｄを掛け止めて回転規制した戸当り位置に保持すると共に、係止片３１ｂをトリガ３５の係合溝３７に係合させ上下動の規制状態において、取付部材２５の固定板部２５ａを、図６（ａ１）に示すように、扉側の取付段部４４ａの端面４３にねじ止めし、ストッパ３０のパッド３２を室内側に向けた状態で手先側角部３８から扉枠Ｆの受け段部４４ｂに向けて突出させて開き扉Ｄに組み付けてなる。
【００２７】
さて、本発明において、トイレの使用時、開き扉Ｄをロックするときは、いまトイレの室内側に半開き状態で開いた開き扉Ｄを、トイレ室内から閉止させてから、いま扉枠Ｆ側の解錠位置にあるロック手段Ｂのロックレバー１５を取付体２０に対し、図１（ａ）・図８中矢印方向に摺動し、開き扉Ｄと扉枠Ｆ間に跨る施錠位置まで突出させて開き扉Ｄをロックし、室内側に内開きするのを規制する。このとき、トイレ室内から開き扉Ｄを閉止すると、回転規制状態で戸当り位置に保持した戸当りＣのストッパ３０が扉枠Ｆの受け段部４４ｂにパッド３２を介して当接して開き扉Ｄが室外側へ外開きするのを規制し、以って、開き扉Ｄをロックする。なお、この開き扉Ｄの閉時、扉構造体Ａにおいて、戸当りＣは、出っ張ることなく、開き扉Ｄと扉枠Ｆの室外側の板面と面一に戸当り凹部４４内に納まっている。
【００２８】
一方、開き扉Ｄのロックを解除するときは、トイレの室内側から、施錠位置にあるロックレバー１５を、図９に示すように解錠位置へ摺動する。すると、開き扉Ｄは、図１０でも示すように、グレビティヒンジのヒンジ部ｈにより自動的に室内側へ回転し、所定開き角度の半開き状態で止めて保持され、これにより、ロック手段Ｂに開き扉の施解錠状態を室外側に表示する表示器を備えなくても、室外側から開き扉Ｄの開き具合を一見して施解錠状態、即ち、トイレの使用状態が判るようになっている。
【００２９】
他方、開き扉Ｄをロック手段Ｂでロックしたままトイレ室内に使用者が倒れるなど非常時に、室外側から開き扉Ｄを非常解錠するときは、床面ｆとの間の隙間ｘに手を入れて、まず、戸当りＣのトリガ３５を、摘み部３５ｅを摘んで図７（ａ）中矢示する他方向に回転し、図７（ｂ）に示すように、係止片３１ｂを係合溝３７から外してトリガ３５によるストッパ３０の上下動規制状態を解除する。しかる後、ストッパ３０を引き下げて、図７（ｃ）に示すように、取付部材２５のフック部２５ｄを掛け止め穴３４から外し、ストッパ３０の回転規制状態を解除し、図１１、図１２および図１３に示すように、扉枠Ｆの受け段部４４ｂに当接した戸当り位置にあったストッパ３０を、枢軸２６を中心に回転して扉枠Ｆから室外側へ離れた退避位置に切り換え移動させて開き扉Ｄの外開き規制を解除し、以って、開き扉Ｄを非常解錠する。
【００３０】
従って、本発明では、上述のように非表示型ロック手段Ｂを付設しているために、室外側に非常解錠用の操作部のない開き扉Ｄを、そのロック手段Ｂでロックしたままトイレ室内に使用者が倒れるなどの非常時に、室内側に開けたくても、開き扉Ｄは、いまロック手段Ｂでロックされて内開き規制状態にあり、室外側に開けたくても、戸当りＣで外開き規制状態にあるが、そのような場合でも、ロック手段Ｂは、ロックレバー１５を摺動可能に連結する取付体２０を開き扉Ｄの手先側と対向する扉枠Ｆの端部室内側に取り付けるから、ロックレバー１５が開き扉Ｄと扉枠Ｆ間を跨いだ施錠位置に突出していても、開き扉Ｄの外開きの妨げにはならず、一方、いま開き扉Ｄの外開きを規制した戸当りＣは、ストッパ３０を、床面ｆとの間の隙間ｘと隣接する開き扉Ｄの手先側角部３８に取付部材２５を固定し、その取付部材２５にストッパ３５を扉枠Ｆの受け段部４４ｂに当接して開き扉Ｄが外開きするのを規制する当接位置から、扉枠Ｆから室外側に離して開き扉Ｄの外開き規制が解除される退避位置に切り換え移動可能に連結しているため、何ら身の回りの道具を使わずとも、室外側から、隙間ｘを通して戸当りＣのストッパ３５を扉枠Ｆから室外側に離れた退避位置に切り換え移動させる簡単な外部操作で非常解錠して開き扉Ｄを外開きすることができる。
【００３１】
上述した図示実施の形態において、ロック手段Ｂは、ロックレバー１５を施錠位置と解錠位置との間を直線的に摺動させて施解錠するスライドボルトであったが、本発明では、それに限らず、例えば以下の図示実施の形態に示すように、ロックレバーを施錠位置と解錠位置との間を回動させて施解錠する打掛錠等であってもよい。なお、ロック手段が打掛錠の下記図示実施の形態において、上記図示実施の形態における構成と同一のものは同じ符号を付して説明する。
【００３２】
図示他例の回動式扉非常解錠システムは、図１４、図１５および図１６に示すように、トイレブース内に設置した扉構造体Ａと、打掛錠のロック手段Ｂ´と、開き扉Ｄの手先側角部３８に組み付けた戸当りＣとにより構成されている。
【００３３】
打掛錠のロック手段Ｂ´は、ロックレバー４０と、取付体４５と、レバー受け５０のみからなり、開き扉Ｄの施解錠状態を室外側に表示する表示器を備えない非表示型の錠手段である。ロックレバー４０は、樹脂製の円形キャップ状の支持カバー４０ａと金属製の棒状レバー本体４０ｂとを備え、レバー本体４０ｂを支持カバー４０ａの径方向に貫挿してインサート成形によって一体化してなる。取付体４５は、複数のねじ挿通穴を有した金属製の丸座状に形成してなる。一方、レバー受け５０は、固定板片に化粧キャップを被せた取付座５０ａと、取付座５０ａの一端に直角に立設した丸軸状の受け部５０ｂとからなる。
【００３４】
図示他例において、ロック手段Ｂ´は、開き扉Ｄの手先側と対向する扉枠Ｆの端部室内側に取付体４５をねじ止めしてから、取付体４５に支持カバー４０ａを被せて回動可能にロックレバー４０を嵌着し、レバー本体４０ｂが垂直に起立した解錠位置と水平に倒れた施錠位置との間の角度範囲で回動するようにロックレバー４０を取付体４５に連結してなる。一方、レバー受け５０は、ロックレバー４０が施錠位置にあるときレバー本体４０ｂが受け部５０ｂに係止する高さ位置において、開き扉Ｄの手先側の端部室内側に固着してなる。
【００３５】
さて、図示他例において、トイレの使用時、開き扉Ｄをロックするときは、いまトイレ室内側に半開き状態で開いた開き扉Ｄを、トイレ室内から閉止させてから、扉枠Ｆ側の解錠位置に起立したロックレバー４０を取付体４５に対し、図１４中矢印方向に回動し、レバー本体４０ｂがレバー受け５０の受け部５０ｂに係止して開き扉Ｄと扉枠Ｆ間に跨る施錠位置に倒して開き扉Ｄをロックし、室内側に内開きするのを規制する。このとき、トイレ室内から開き扉Ｄを閉止すると、回転規制状態で戸当り位置に保持した戸当りＣのストッパ３０が扉枠Ｆの受け段部４４ｂにパッド３２を介して当接して開き扉Ｄが室外側へ外開きするのを規制し、以って、開き扉Ｄをロックする。一方、開き扉Ｄのロックを解除するときは、トイレ室内側から、施錠位置にあるロックレバー４０を、図１５に示すように解錠位置へ回動し、開き扉Ｄの内開き規制を解除する。すると、開き扉Ｄは、グレビティヒンジのヒンジ部ｈにより自動的に室内側へ回転し、所定開き角度の半開き状態で止めて保持される。
【００３６】
他方、開き扉Ｄをロック手段Ｂ´の打掛錠でロックしたままトイレ室内に使用者が倒れるなど非常時に、室外側から開き扉Ｄを非常解錠するときは、床面ｆとの間の隙間ｘに手を入れて、まず、図７（ａ）・（ｂ）・（ｃ）に示したと同様に、戸当りＣに備えるトリガ３５の摘み部３５ｅを摘んでトリガ３５を回転し、係止片３１ｂを係合溝３７から外してトリガ３５によるストッパ３０の上下動規制状態を解除する。しかる後、ストッパ３０を引き下げて、取付部材２５のフック部２５ｄを掛け止め穴３４から外し、ストッパ３０の回転規制状態を解除し、扉枠Ｆの受け段部４４ｂに当接した戸当り位置にあったストッパ３０を、図１６に示すように、枢軸２６を中心に回転させて扉枠Ｆから室外側へ離れた退避位置に切り換え移動させて開き扉Ｄの外開き規制を解除し、以って、開き扉Ｄを非常解錠する。
【００３７】
このようにロック手段Ｂ´が打掛錠の図示他例においても、何ら身の回りの道具を使わずとも、室外側から、隙間ｘを通して戸当りＣのストッパ３５を扉枠Ｆから室外側に離れた退避位置に切り換え移動させる簡単な外部操作で非常解錠して開き扉Ｄを外開きすることができる
【００３８】
上述した図示実施の形態において、戸当りＣは、開き扉Ｄの下端側の手先側角部３８に組み付けるが、手を使ってストッパ３０を切り換え移動操作できる高さの部位であれば、開き扉Ｄと笠木Ｅ間の隙間ｙと隣接した開き扉Ｄの上端側の手先側角部に組み付けるようにしてもよい。
【００３９】
なお、以上の図示実施の形態において、扉は、開き扉Ｄであったが、吊元側のヒンジ部により回動可能に吊り込む回動式扉であれば、開き扉に限らず、折戸等であってもよい。
【符号の説明】
【００４０】
Ａ                扉構造体
Ｂ・Ｂ´          ロック手段
Ｃ                戸当り
Ｄ                開き扉
Ｅ                笠木
Ｆ                扉枠
ｆ                床面
ｈ                ヒンジ
ｘ・ｙ            隙間
１５              ロックレバー
２０              取付体
２５              取付部材
３０              ストッパ
３５              トリガ
【図１】
0005572613.tif 000002
【図２】
0005572613.tif 000003
【図３】
0005572613.tif 000004
【図４】
0005572613.tif 000005
【図５】
0005572613.tif 000006
【図６】
0005572613.tif 000007
【図７】
0005572613.tif 000008
【図８】
0005572613.tif 000009
【図９】
0005572613.tif 000010
【図１０】
0005572613.tif 000011
【図１１】
0005572613.tif 000012
【図１２】
0005572613.tif 000013
【図１３】
0005572613.tif 000014
【図１４】
0005572613.tif 000015
【図１５】
0005572613.tif 000016
【図１６】
0005572613.tif 000017
【図１７】
0005572613.tif 000018